(57)【要約】  【課題】離間して配置される複数の支柱のうち二本の支柱をそれぞれ横連結部材を介してコーナー支柱に連結してなるフレーム構造体において、コーナー支柱の入隅部に配置されるコーナー棚を利用して、他のフレーム構造体や支柱を増設することなく他の棚板を隣接配置することができるようにする。  【解決手段】二本の支柱３，３をそれぞれ横連結部材４を介してコーナー支柱２に連結してなるフレーム構造体Ｆにおいて、コーナー支柱２の入隅部２ａに配置されるコーナー棚１に、コーナー支柱２に対して取り付ける取付部１Ｋと、隣接配置される他の棚板６における一方の側端部６ａを支持する棚板受け部１Ｌとを設けた。【選択図】図２
2006158698.tif 000002
【特許請求の範囲】
【請求項１】
離間して配置される複数の支柱と、コーナー支柱と、これら支柱とコーナー支柱とを連結する横連結部材とを少なくとも具備するフレーム構造体において、前記コーナー支柱とそれに隣接する二本の支柱により形成されるコーナー部における該コーナー支柱の入隅部に配置されるコーナー棚であって、
前記コーナー支柱に対して取り付ける取付部と、隣接配置される他の棚板における一方の側端部を支持する棚板受け部とを具備していることを特徴とするコーナー棚。
【請求項２】
前記取付部を形成してなるブラケット部と、該ブラケット部に支持されるコーナー棚板部とを具備し、該コーナー棚板部に前記棚板受け部を形成している請求項１記載のコーナー棚。
【請求項３】
前記ブラケット部とコーナー棚板部とを一体的に具備している請求項２記載のコーナー棚。
【請求項４】
前記棚板受け部が、前記コーナー棚板部のうち前記横連結部材とは異なる方向に延びる側端部を部分的に前記他の棚板の方向へ延出させて該他の棚板を載置し得る延出片である請求項２又は３記載のコーナー棚。
【請求項５】
前記延出片の先端部に、前記コーナー棚板部の開放側端部における起立縁と平行に起立する起立片を形成し、これら起立縁と起立片とによって延出片に載置した前記他の棚板の側端部を挟持し得る挟持部を構成している請求項４記載のコーナー棚。
【請求項６】
前記コーナー棚板部の幅寸法を、該コーナー棚板部の幅方向に対応する前記コーナー支柱と前記支柱との離間寸法よりも小さく設定している請求項２、３、４又は５記載のコーナー棚。
【請求項７】
前記ブラケット部が、前記コーナー支柱と前記支柱との離間方向に幅寸法を有する一対の起立板を主体とするものであり、これら一対の起立板により形成されるコーナー部に、前記コーナー支柱に向けて前記取付部を突出させて形成している請求項２、３、４、５又は６記載のコーナー棚。
【請求項８】
前記取付部が、前記入隅部に開口させてコーナー支柱に形成されたスリットに対して該入隅部の開き角度を二分する中心線に沿って挿抜可能に係合する係合爪である請求項１、２、３、４、５、６又は７記載のコーナー棚。
【発明の詳細な説明】
【技術分野】
【０００１】
本発明は、コーナー部を有するフレーム構造体の入隅部に配置されるコーナー棚に関するものである。
【背景技術】
【０００２】
離間して配置される二本の支柱同士を横フレーム材等の部材で連結することによって構成されるフレーム構造体が、独立したラック（棚）として、パネル板を付帯させることでパーティションパネルやデスクトップパネルとして、或いはそれらに天板や棚板を付帯させた態様として種々提供されている。このようなフレーム構造体に棚板を設ける場合、一対の支柱の各起立面に形成されたスリットにブラケットをそれぞれ係合させ、これらブラケットに棚板を載置したりさらにその棚板をブラケットに固定するようになされている。ところで、フレーム構造体が少なくとも三本の支柱を備えており、そのうち中間部に配置される支柱をコーナー支柱として、このコーナー支柱が配置された部分をコーナー部とした平面視Ｌ字形ないしＶ字形をなす形態である場合、コーナー部の入隅部にも棚板（コーナー棚）を設けることがある。例えば、コーナー支柱とその両隣の支柱との間にそれぞれパネル板を支持させた態様のフレーム構造体におけるコーナー棚及びその支持構造として、コーナー支柱に、入隅側の間隙に開放させたスリットを各パネルごとに対応させて上下に並設し、平面視において交叉させた一対のブラケットをそれぞれ各パネルの表面に添接させた状態で各スリットに係合させて、これらのブラケットにコーナー棚板を載置して取り付けるようにした態様が知られている（例えば、特許文献１参照）。
【特許文献１】特開２０００−２４８６６７公報（図１等）
【発明の開示】
【発明が解決しようとする課題】
【０００３】
ところが、上述のような構成のコーナー棚は、コーナー支柱にブラケットを介して独立して取り付けられている一方、上記文献には詳細には記載されていないが、そのコーナー棚の側縁に隣接させて他の棚板を配置する場合、コーナー棚の側縁近傍に当該他の棚板を支持させるための支柱が存在しなければ、コーナー棚と他の棚板とを並べて配置することができない。換言すれば、フレーム構造体の入隅部にコーナー棚を配置した場合、当該コーナー棚に隣接させて他の棚板を配置するためには、その棚板を支持するブラケットを係合させるために、上記フレーム構造体とは別途にフレーム構造体を併設する必要が生じる。またこのような問題は、フレーム構造体にパネル板を付帯させているか否かは問わず共通するものである。
【０００４】
そこで本発明は、以上のような問題に鑑みて、徒に他のフレーム構造体や支柱棚板を支持する別体のブラケット等を増設することなく棚板を隣接配置することができ少ない部品点数で構成し得るコーナー棚を提供するものである。
【課題を解決するための手段】
【０００５】
すなわち、本発明のコーナー棚は、離間して配置される複数の支柱と、コーナー支柱と、これら支柱とコーナー支柱とを連結する横連結部材とを少なくとも具備するフレーム構造体において、コーナー支柱とそれに隣接する二本の支柱により形成されるコーナー部におけるコーナー支柱の入隅部に配置されるものであって、コーナー支柱に対して取り付ける取付部と、隣接配置される他の棚板における一方の側端部を支持する棚板受け部とを具備していることを特徴としている。
【０００６】
このような構成を有するコーナー棚であれば、取付部によってコーナー支柱に取り付けることができるうえに、棚板受け部によって隣接する他の棚板の側端部を支持することができるため、別途にコーナー棚を二重にしたり中途で切断された態様のコーナー棚を用いたり、複数のブラケットを用いなくても、本発明のコーナー棚のみで入隅部の棚を構成することができるうえに、本発明のコーナー棚に隣接させて他の棚板を配置することが可能となり、少ない部品点数且つ低コストで連続した広い棚を形成することができる。
【０００７】
斯かるコーナー棚の好ましい具体的構成態様としては、取付部を形成してなるブラケット部と、このブラケット部に支持されるコーナー棚板部とを備え、コーナー棚板部に棚板受け部を形成したものを挙げることができる。
【０００８】
特に、コーナー棚を、ブラケット部とコーナー棚板部とを一体的に具備するものとした場合には、支柱に取り付けるためのブラケットとしての機能と棚板本来の機能とを同時に備えた一体的に取り扱い得るものとなる。
【０００９】
コーナー棚板に、簡易な構成で他の棚板を載置し得るようにするには、棚板受け部を、コーナー棚板部のうち横連結部材とは異なる方向に延びる側端部を部分的に他の棚板の方向へ延出させて当該他の棚板を載置し得る延出片により構成することが好ましい。
【００１０】
この場合、他の棚板の側端部をコーナー棚板により確実に保持させて安定性を向上するには、延出片の先端部に、コーナー棚板部の開放側端部における起立縁と平行に起立する起立片を形成し、これら起立縁と起立片とによって延出片に載置した他の棚板の側端部を挟持し得る挟持部を構成するとよい。
【００１１】
以上のようなコーナー棚板部の構成を採用した場合、コーナー棚板部の幅寸法は、当該コーナー棚板部の幅方向に対応するコーナー支柱とそれに隣接する支柱との離間寸法よりも小さく設定することができる。すなわち、コーナー支柱とその隣の支柱との間の中間位置にコーナー棚板部の側端部を位置付け、その位置でコーナー棚板部に他の棚板を支持させることができる。
【００１２】
一方、コーナー棚板部の上面を広く確保することができるブラケット部の好ましい具体的態様としては、コーナー支柱とその隣の支柱との離間方向に幅寸法を有する一対の起立板を主体としてブラケット部を構成し、これら一対の起立板により形成されるコーナー部に、コーナー支柱に向けて取付部を突出させて形成したものを挙げることができる。
【００１３】
さらに本発明のコーナー棚において、コーナー支柱に取り付けるための取付部の構成を簡易化するためには、入隅部に開口させてコーナー支柱に形成されたスリットに対して当該入隅部の開き角度を二分する中心線に沿って挿抜可能に係合する係合爪を取付部として採用するとよい。
【発明の効果】
【００１４】
本発明のコーナー棚によれば、取付部によってコーナー支柱に取り付けた状態で、このコーナー棚自体で入隅部の棚として利用できるようになるのは勿論のこと、当該コーナー棚自体の構成要素である棚板受け部を利用して隣接する他の棚板を支持することが可能である。そのため、コーナー棚の隣接位置に他の棚板を配置するための支柱やそれを含むフレーム構造体を設置する必要がなくなり、安価且つ簡便な構成でコーナー棚に他の棚板を隣接配置することができる。
【発明を実施するための最良の形態】
【００１５】
以下、本発明の一実施形態を、図面を参照して説明する。
【００１６】
図１は、本実施形態のコーナー棚１を適用したフレーム構造体Ｆにより構築されるシェルフ（棚）Ｓの外観を示す概略的な斜視図である。このシェルフＳは、平面視Ｌ字形状をなして屋内の床面に設置して書棚や整理棚として用いられる。なお、ここでは平面視Ｌ字形状をなすフレーム構造体Ｆの枠内にパネル板５が取り付けられ、そのパネル板５の前面側に本実施形態のコーナー棚１及びそれに隣接する棚板６が上下に複数段（図示例では４段であるが、これ以上でも以下でも構わない。また、各段のコーナー棚１及び棚板６の構成については同一である）に亘って設けられた態様を示している。本実施形態のコーナー棚１は、フレーム構造体Ｆにおけるコーナー部Ｆｃの棚板としての機能と、隣接する他の棚板６を支持する機能とを兼ね備えているものであるが、その詳細については後述する。なお、フレーム構造体Ｆは、一部の棚板を天板に替えることによってデスクとして利用でき、またパネル板のみを設けることによってパーティションパネルとしても利用できるものである。なお、このコーナー棚１の両翼には、図１に想像線で示すように（図示例では紙面右側の片翼のみ）棚板６やパネル板（図示省略）を備えた他のフレーム構造体を連接することができる。
【００１７】
まず、フレーム構造体Ｆの概略構成について簡単に説明する。このフレーム構造体Ｆは、図１に示すように、三本の支柱２，３，３を、横連結部材たる横フレーム４によって連結してなる基本骨格構造を有するものである。ここで、三本の支柱２，３，３は、平面視Ｌ字形状の両端部と屈曲部とに該当する位置に配置されており、以下では、両端部の支柱を単に「支柱３」と呼び、屈曲したコーナー部Ｆｃに配置される支柱を特に「コーナー支柱２」と呼ぶものとする。横フレーム４は、コーナー支柱２とそれに隣接する各支柱３，３の上端部間及び高さ方向中間部間に亘って上下二段で連結する棒状乃至板状の部材である。なお、図示例では、上段の横フレーム４のみを示し、下段の横フレームについては省略している。このようなフレーム構造体Ｆとして、本実施形態ではコーナー部Ｆｃにおいて略直角に屈曲した形状のものを採用しているが、このコーナー部Ｆｃの入隅側の開き角度については直角に限らず、適宜の鋭角又は鈍角とすることも可能である。また、両支柱３，３の下端部には、床面に接地させる脚３１，３１を取り付けており、コーナー支柱２にも同様の脚又はアジャスタ（図示省略）を取り付けることができる。
【００１８】
何れも概略角パイプ状をなすコーナー支柱２と支柱３，３の対向面には、パネル板４を取り付けるためのスリット（図示省略）が上下に定ピッチで複数形成されており、これらのうちの適宜のスリットにパネル板５の側面に形成されたフック爪（図示省略）を着脱可能に係合させるようにしている。また、支柱３，３の前面には、棚板を取り付けるためのスリット３２が上下に定ピッチで複数形成されており、これらのスリット３２に係合爪を有するブラケット７を着脱可能に取り付けた上で、そのブラケット７に棚板６の一側端部を支持させるように構成している。
【００１９】
特にコーナー支柱２には、図２に拡大して示すように、入隅側の角部（以下、「入隅部２ａ」と称する）を高さ方向の全域に亘って内側へ略直角に窪ませた凹部２１を形成しており、この凹部２１の最奥部に、両端部の支柱３，３に形成したスリット３２と同様に上下に定ピッチで複数のスリット２２を形成している。これらのスリット２２は、本実施形態のコーナー棚１を取り付けるために形成されたものである。
【００２０】
コーナー棚１は、図１〜図６に示すように、コーナー支柱２に取り付けるための取付部１Ｋとして前記スリット２２に係合する複数（図示例では３つ）の係合爪１１２（上から順に１１２Ａ，１１２Ｂ，１１２Ｃ）を備えたブラケット部１１と、このブラケット部１１に支持されるコーナー棚板部１２とを有している。
【００２１】
ブラケット部１１は、図２及び図３に示すように、板材からなるブラケット板１１１二枚を主体として構成される。各ブラケット板１１１は、例えば平板な金属板からなるものであり、本実施形態では正面視概略台形状をなすものを採用しており、何れもパネル板５の表面に添接させた状態で用いられる。各ブラケット板１１１の高さ寸法が大きい基端部には、特に図４及び図５に示すように、それぞれ係合爪１１２の構成要素として、コーナー支柱２のスリット２２に係合する係合爪要素１１２ａ，１１２ｂ，１１２ｃを形成している。本実施形態において係合爪要素１１２ａ，１１２ｂ，１１２ｃは、ブラケット板１１１の基端部において上下三段に形成してあり、いずれも下向きの爪部１１２ｘを有しているが、特に最上段の係合爪要素１１２ａにのみ上向きの爪部１１２ｙを形成することで、スリット２２に対する係合状態をより確実なものとしている。ここで各係合爪要素１１２ａ，１１２ｂ，１１２ｃは、パネル板５の表面を向くブラケット板１１１の対向面に対して約１３５°の角度をなしてコーナー支柱２に向けて突出させてあり、両ブラケット板１１１の高さ位置が等しい係合爪要素１１２ａ，１１２ｂ，１１２ｃ同士を密着させて溶接することで、一体の係合爪１１２Ａ，１１２Ｂ，１１２Ｃとして機能するようになされている。また、各ブラケット板１１１の各下縁には、パネル板５とは反対側へ略水平に突出する水平片１１３を形成しており、この水平片１１３にコーナー棚板部１２を載置するようにしている。ここで、水平片１１３は、各ブラケット板１１１を構成する板材を屈曲することによりブラケット板１１１と一体に形成することができる。
【００２２】
コーナー棚板部１２は、例えば金属板を折り曲げ加工することにより得られる平面視正方形状をなすものであり、図１〜図６に示すように、フレーム構造体Ｆのコーナー部Ｆｃにおける棚板としての機能を発揮するために前記平面視正方形状をなす板状部位をコーナー棚板本体部１２１としている。ここで、コーナー棚板本体部１２１の四辺の長さは、コーナー支柱２と支柱３との離間距離（すなわちパネル板５の幅寸法と略等しい）よりも小さいものである。一方、他の棚板６の幅寸法もコーナー支柱２と支柱３との離間距離よりも小さいが、一方向に連続するコーナー棚板本体部１２１と他の棚板６との合計長手寸法が、コーナー支柱２と支柱３との離間距離と略等しくなるようにしてある。
【００２３】
図２、図３、図５、図６及び図７に示すように、このコーナー棚板部１２のうち各ブラケット板１１１の水平片１１３に載置される二つの側端部は、それに対応するコーナー棚板本体部１２１の縁部を下方へ若しくはさらに内方へ適宜折り曲げて補強を図っている。一方、コーナー棚板部１２のうち各ブラケット板１１１の水平片１１３に載置されない二つの側端部は、それに対応するコーナー棚板本体部１２１の縁部を下方及び外方へ折り曲げて補強を図るとともに、外方へ略水平に折り曲げられた延出片１２２を、それぞれこのコーナー棚１に隣接し支持されることとなる他の棚板６の一方の側端部６ａを載置させて支持する棚板受け部１Ｌとして機能させるようにしている。さらに、各延出片１２２の両側端部近傍には、当該延出片１２２の一部をさらに延出させて上方へ折り曲げた起立片１２３を形成しており、図７に概略的な断面図を示すように、延出片１２２に他の棚板６の側端部６ａを載置させた状態で、起立片１２３とコーナー棚板本体部１２１の起立縁１２１ａとの間で当該他の棚板６の側端部６ａを挟持する挟持部１Ｍを構成している。また、その状態においてコーナー棚板部１２に棚板６を固定するために、コーナー支柱２の入隅部２ａに支持されたコーナー棚１の角部とは対角側における延出片１２２の側端部を部分的に延ばし、その部位に貫通孔１２２ａを形成して、図２に示すように、下方から貫通孔１２２ａに挿入したビス１２４を前記棚板６の側端部６ａに止着できるようにしている。なお、コーナー棚板部１２の底面側には、金属板を折り曲げ形成してなる補強材１３を収めており、図６に「＊」の印で示すように、この補強材１３を適宜箇所においてコーナー棚板部１２及びブラケット部１１に溶接している。すなわち、コーナー棚１は、補強材１３の溶接によりブラケット部１１とコーナー棚板部１２とを一体に備えていることとなる。
【００２４】
以上のような構成のコーナー棚１のコーナー支柱２への取付に際しては、コーナー棚１をコーナー支柱２の入隅部２ａにおける開き角度の中心線方向からブラケット部１１における最上段の係合爪１１２Ａ（上向きの爪部１１２ｙ，１１２ｙ）をコーナー支柱２の適宜のスリット２２に下方から回し込んで挿入し、ブラケット部１１を起立させた姿勢でスリット２２内に落とし込むことで、各係合爪１１２（各下向きの爪部１１２ｘ）が対応するスリット２２と係合する。以上により、コーナー棚１の取付作業は全て完了する。その一方、ブラケット部１１と高さを揃えて他の支柱３にもスリット３２に係合させてブラケット７を取り付けておき、コーナー棚１のコーナー棚板部１２における棚板受け部１２Ｌとブラケットとに他の棚板６の両側端部を載置すれば、コーナー棚１のコーナー棚板部１２に隣接させて他の棚板６の設置を行うことができる。このとき、棚板６の少なくとも一方の側端部６ａは、コーナー棚板部１２に形成された挟持部１Ｍにより幅方向に保持された状態となっているが、棚板６の不意の脱落を防止するためには、ビス１２４をコーナー棚板部１２の延出片１２２の貫通孔１２２ａに挿入して棚板６に止着しておくとよい。もちろん、棚板６の他方の側端部も、コーナー棚１と同様の構成でブラケット７に保持させるようにすることができる。
【００２５】
以上に詳述したように、本実施形態のコーナー棚１は、平面視Ｌ字形状をなすフレーム構造体Ｆのコーナー支柱２における入隅部２ａに取り付ける機能として取付部１Ｋを有し、フレーム構造体Ｆに取り付けられる他の棚板６の一方の側端部６ａを支持する機能として棚板受け部１Ｌをさらに備えたものである。したがって、コーナー棚１をコーナー支柱２に取り付ければ、従来であれば他の棚板６のコーナー部側の端部をフレーム構造体Ｆに支持させるために要していた支柱を増やす必要がなく、低コストで簡便にシェルフＳを構成することができる。またその結果、コーナー棚１及び他の棚板６の各幅寸法を、コーナー支柱２と支柱３との離間距離よりも小さく設定して、それらの合計寸法をコーナー支柱２と支柱３との離間距離に対応させることができることにもなる。
【００２６】
特に本実施形態では、コーナー棚１を、取付部１Ｋを有するブラケット部１１と、棚板本来の機能を有し且つ他の棚板６を支持する棚板受け部１Ｌを備えたコーナー棚板部１２とから構成し、これらブラケット部１１とコーナー棚板部１２とを一体に取り扱い得るように接合したものであるので、コーナー棚１全体のコーナー支柱２への脱着作業を極めて簡便に行うことができる。
【００２７】
また、棚板受け部１Ｌは、コーナー棚板部１２のうちフレーム構造体Ｆ側を向かない側端部を部分的に外方へ延出させた延出片１２２により構成し、この延出片１２２に他の棚板６を載置するようにしたものであるため、棚板受け部１Ｌを極めて簡素な構成としつつ有用なものとすることができる。さらに、延出片１２２の先端部には起立片１２３が形成してあり、延出片１２２を挟んで対向する起立片１２３とコーナー棚板本体部１２１の起立縁１２１ａとの間に他の棚板６の側端部６ａを挟持する挟持部１Ｍを構成しているため、コーナー棚１による他の棚板６の保持をより確実なものとすることができる。
【００２８】
さらにまた、ブラケット部１１には概ね平板な板材を採用していることから、コーナー棚板部１２の上面を最大限に広く確保することができ、取付部１Ｋとしてコーナー支柱２の入隅部２ａにおける開き角度の中心線沿いに、コーナー支柱２のスリット２２に挿抜し得る係合爪１１２を採用しているため、コーナー支柱２への脱着作業が簡便であり且つ取付状態の確実なコーナー棚１とすることができる。
【００２９】
なお、本発明のコーナー棚は上述した実施形態に限定されるものではない。上記実施形態では、入隅部の開き角度が略９０°であるコーナー支柱を採用し、それに取り付けられるコーナー棚を一例として示したが、コーナー支柱の入隅部における開き角度に対応してコーナー棚の形状を適宜変更することができることはいうまでもない。また、コーナー棚を構成するブラケット部とコーナー棚板部とは必ずしも一体に接合されていなくてもよく、両者を別体として、コーナー支柱に取り付けたブラケット部に後付けでコーナー棚板部を支持させる態様を採用することも可能である。また本発明は、上述のようなシェルフのみならず、デスクの天板の上方に配置されるオプション棚等にも適用することができる。その他、各部の具体的構成についても上記実施形態に限られるものではなく、本発明の趣旨を逸脱しない範囲で種々変形が可能である。
【図面の簡単な説明】
【００３０】
【図１】本発明の一実施形態に係るコーナー棚が適用されたフレーム構造体を主体とするシェルフの概観を示す斜視図。
【図２】同シェルフのコーナー部を拡大して示す分解斜視図。
【図３】同実施形態のコーナー棚の各部を分解して示す斜視図。
【図４】同コーナー棚を図２における矢印Ａ方向から見た側面図。
【図５】同コーナー棚を図２における矢印Ｂ方向から見た側面図。
【図６】同コーナー棚及び他の棚板の一側端部を示す底面図。
【図７】図６におけるC-C線概略断面図。
【符号の説明】
【００３１】
１…コーナー棚
１Ｋ…取付部
１Ｌ…棚板受け部
１Ｍ…挟持部
２…コーナー支柱
２ａ…入隅部
３…支柱
４…横連結部材（横フレーム）
６…棚板（他の棚板）
６ａ…スリット
１１…ブラケット部
１２…コーナー棚板部
２２…スリット
１１２…係合爪
１２１ａ…起立縁
１２２…延出片
１２３…起立片
Ｆ…フレーム構造体
Ｆｃ…コーナー部
【図１】
2006158698.tif 000003
【図２】
2006158698.tif 000004
【図３】
2006158698.tif 000005
【図４】
2006158698.tif 000006
【図５】
2006158698.tif 000007
【図６】
2006158698.tif 000008
【図７】
2006158698.tif 000009